(57)【要約】【課題】蓋体の交換が簡単に行えるコンパクト容器を提案する。【解決手段】本発明におけるコンパクト容器１は、ベース１０と蓋体２０とを枢支軸３０を介して連結するとともに、ベース１０と蓋体２０との相互間に化粧料等を収める収納空間Ｍを有するものであって、枢支軸３０は、ベース１０及び蓋体２０の何れか一方に設けた案内溝４３Ａ、４３Ｂに進退移動可能に配置され、ベース１０及び蓋体２０の何れか他方に設けた凹部２３Ａ、２３Ｂを摺動可能に保持する枢支ピン３２Ａ、３２Ｂと、案内溝４３Ａ、４３Ｂ内に配置され、枢支ピン３２Ａ、３２Ｂを凹部２３Ａ、２３Ｂに向けて前進させる弾性部材３１Ａ、３２Ｂとで構成されることを特徴とする。【選択図】図２
2014233327.tif 000002
【特許請求の範囲】
【請求項１】
ベースと蓋体とを枢支軸を介して連結するとともに、該ベースと蓋体との相互間に化粧料等を収める収納空間を有するコンパクト容器であって、
前記枢支軸は、前記ベース及び蓋体の何れか一方に設けた案内溝に進退移動可能に配置され、該ベース及び蓋体の何れか他方に設けた凹部を摺動可能に保持する枢支ピンと、該案内溝内に配置され、該枢支ピンを該凹部に向けて前進させる弾性部材とで構成されるコンパクト容器。
【請求項２】
前記蓋体は、該ベースとの相互間に第一収納空間を形成する第一蓋体と、該第一蓋体に対して該ベースを挟んで配置され、該ベースとの相互間に第二収納空間を形成する第二蓋体とで構成され、
前記枢支軸は、該ベース及び第一蓋体の何れか一方に設けた第一案内溝に進退移動可能に配置され、該ベース及び第一蓋体の何れか他方に設けた第一凹部を摺動可能に保持する第一枢支ピンと、該第一案内溝内に配置され、該第一枢支ピンを該第一凹部に向けて前進させる第一弾性部材とからなる第一枢支軸、及び、該ベース及び第二蓋体の何れか一方に設けた第二案内溝に進退移動可能に配置され、該ベース及び第二蓋体の何れか他方に設けた第二凹部を摺動可能に保持する第二枢支ピンと、該第二案内溝内に配置され、該第二枢支ピンを該第二凹部に向けて前進させる第二弾性部材とからなる第二枢支軸にて構成される請求項１に記載のコンパクト容器。
【請求項３】
前記第一枢支軸及び第二枢支軸を、前記ベースの側部の一端側及び他端側にそれぞれ設けた請求項２に記載のコンパクト容器。
【発明の詳細な説明】
【技術分野】
【０００１】
本発明は、化粧料等を収納するコンパクト容器に関するものである。
【背景技術】
【０００２】
ファンデーションやアイシャドウ等の化粧料に加え、パフやブラシ等の塗布具を収納するコンパクト容器においては、ベースと蓋体とを枢支軸を介して連結するとともに、これらの相互間に化粧料等を収める収納空間を形成している。そして、例えば特許文献１には、身１と蓋１３とを開閉自在に連結するとともに、これらの間に位置する中皿５及び中蓋８を、身１に対してそれぞれ開閉自在に連結させることで、異なる収納スペースを持たせたコンパクト容器が示されている。
【先行技術文献】
【特許文献】
【０００３】
【特許文献１】実開昭６３−０４６０１２号公報
【発明の概要】
【発明が解決しようとする課題】
【０００４】
ところで、このようなコンパクト容器においては、蓋体表面の色や模様等を変更した、多様なデザインの容器が種々上市されているものの、使用者の好みに合った、他とは違うデザインのものを持ちたいという強い要望があった。また、中身については使い慣れたものをそのまま使用できる一方、気分に合わせて蓋体を交換することで普段とは違う印象になる容器を持ちたいという要望もあった。しかし、特許文献１のような従来のコンパクト容器における蓋体は、頻繁に着脱することを想定したものではなく、一旦嵌め込まれた蓋体を外すことは困難である上に作業が繁雑であった。このため、蓋体を簡単に交換できるコンパクト容器の登場が強く望まれていた。また、特許文献１のコンパクト容器のように異なる収納スペースを持たせることができれば、複数の用途（種類）の化粧料等をそれぞれ個別に収納できるため、このような機能を持たせるとともに蓋体の交換も簡単に行うことができる工夫も求められていた。
【０００５】
本発明は、このような点を解決することを課題とするものであり、その目的は、蓋体を簡単に交換することができる、新たなコンパクト容器を提案するところにある。また併せて、複数の用途や種類の化粧料等を個別に収納できるコンパクト容器を提案するところにある。
【課題を解決するための手段】
【０００６】
本発明は、ベースと蓋体とを枢支軸を介して連結するとともに、該ベースと蓋体との相互間に化粧料等を収める収納空間を有するコンパクト容器であって、
前記枢支軸は、前記ベース及び蓋体の何れか一方に設けた案内溝に進退移動可能に配置され、該ベース及び蓋体の何れか他方に設けた凹部を摺動可能に保持する枢支ピンと、該案内溝内に配置され、該枢支ピンを該凹部に向けて前進させる弾性部材とで構成されるコンパクト容器である。
【０００７】
前記蓋体は、該ベースとの相互間に第一収納空間を形成する第一蓋体と、該第一蓋体に対して該ベースを挟んで配置され、該ベースとの相互間に第二収納空間を形成する第二蓋体とで構成され、
前記枢支軸は、該ベース及び第一蓋体の何れか一方に設けた第一案内溝に進退移動可能に配置され、該ベース及び第一蓋体の何れか他方に設けた第一凹部を摺動可能に保持する第一枢支ピンと、該第一案内溝内に配置され、該第一枢支ピンを該第一凹部に向けて前進させる第一弾性部材とからなる第一枢支軸、及び、該ベース及び第二蓋体の何れか一方に設けた第二案内溝に進退移動可能に配置され、該ベース及び第二蓋体の何れか他方に設けた第二凹部を摺動可能に保持する第二枢支ピンと、該第二案内溝内に配置され、該第二枢支ピンを該第二凹部に向けて前進させる第二弾性部材とからなる第二枢支軸にて構成されることが好ましい。
【０００８】
前記第一枢支軸及び第二枢支軸を、前記ベースの側部の一端側及び他端側にそれぞれ設けることが好ましい。
【発明の効果】
【０００９】
ベースと蓋体とを連結する枢支軸を、ベース及び蓋体の何れか一方に設けた案内溝に進退移動可能に配置され、該ベース及び蓋体の何れか他方に設けた凹部を摺動可能に保持する枢支ピンと、該案内溝内に配置され、該枢支ピンを該凹部に向けて前進させる弾性部材とで構成したので、枢支ピンを後退させることで、枢支ピンと凹部との係合が外れて蓋部を取り外すことができる。これにより、好みにあった蓋体に簡単に交換することができる。
【００１０】
蓋体を、ベースとの相互間に第一収納空間を形成する第一蓋体と、第一蓋体に対してベースを挟んで配置され、ベースとの相互間に第二収納空間を形成する第二蓋体とで構成し、また、枢支軸を、第一枢支ピンと第一弾性部材とからなる第一枢支軸、及び、第二枢支ピンと第二弾性部材とからなる第二枢支軸とで構成する場合は、１つの容器であっても用途に応じた化粧料や塗布具を、第一及び第二収納空間に別々に収納することができるので、使い勝手が良くなる。
【００１１】
第一枢支軸及び第二枢支軸を設けるに当たり、ベースの側部の一端側にこれら両方を設ける場合は、第一蓋体と第二蓋体との干渉を避けるべく、第一枢支軸と第二枢支軸の高さを相互に変える必要があるため、容器の厚みの増大が避けられないところ、ベースの側部の一端側及び他端側にそれぞれ設ける場合は、第一枢支軸と第二枢支軸の高さを揃えることができるので、２つの収納空間を備えつつも容器の厚みを抑えることが可能になる。
【図面の簡単な説明】
【００１２】
【図１】本発明に従うコンパクト容器の実施の形態につき、側面視での断面図（図２に示すＡ−Ａに沿う断面図）である。
【図２】図１に示すＢ−Ｂに沿う断面図である。
【図３】図１に示すＣ−Ｃに沿う断面図である。
【図４】図２のＤ−Ｄに沿う断面図である。
【図５】図１の矢印Ｅに沿う断面図である。
【図６】図１に示す状態から、第一蓋体を開いた状態を示す断面図である。
【発明を実施するための形態】
【００１３】
以下、図面を参照して、本発明をより具体的に説明する。
図１は、本発明に従うコンパクト容器の実施の形態につき、側面視での断面図（図２に示すＡ−Ａに沿う断面図）であって、図２は、図１に示すＢ−Ｂに沿う断面図であって、図３は、図１に示すＣ−Ｃに沿う断面図であって、図４は、図２のＤ−Ｄに沿う断面図であって、図５は、図１の矢印Ｅに沿う断面図であって、図６は、図１に示す状態から、第一蓋体を開いた状態を示す断面図である。なお、以下の説明において「上側」とは、ベースを基準に第一蓋体を設けた側であり、「下側」とは、ベースを基準に第二蓋体を設けた側である。また「前側」とは、第一蓋体を係止する爪部を設けた側であり、「後側」とは、第二蓋体を係止する爪部を設けた側である。
【００１４】
図１において、符号１は、本発明に従うコンパクト容器の一実施形態を示す。コンパクト容器１は、ベース１０と蓋体２０とを枢支軸３０を介して連結したものであり、ベース１０と蓋体２０との相互間には、化粧料等を収める収納空間Ｍが形成される。本実施形態において蓋体２０は、第一蓋体２０Ａと第二蓋体２０Ｂとからなり、これら第一蓋体２０Ａと第二蓋体２０Ｂは、ベース１０を挟んで向かい合わせとなるように配置される。そして、枢支軸３０は、ベース１０と第一蓋体２０Ａとを連結する第一枢支軸３０Ａと、ベース１０と第二蓋体２０Ｂとを連結する第二枢支軸３０Ｂとからなる。
【００１５】
ベース１０は、図１〜図４に示すように、平板状の基部１１の上側に、図示の例では比較的大きなサイズとなる１種類の化粧料と、それを塗布するパフ等の塗布具をそれぞれ収納する２つの凹所１１ａ、１１ｂを設け（図２参照）、基部１１の下側に、比較的小さなサイズとなる複数種類の化粧料と、それらを塗布するブラシ等の塗布具とをまとめて収納する１つの凹所１１ｃを設けている（図３参照）。また、図１に示すように、基部１１の側部の一端側（後側）には切り欠き部１２が設けられ、他端側（前側）には切り欠き部１３が設けられる。更に、基部１１は、図２に示すように切り欠き部１２を挟む両外側に、切り欠き部１２から外側に向かって伸延する穴１２ａと、穴１２ａを取り囲む環状凹部１２ｂとを設けている。また、切り欠き部１３にも、同様の構成となる穴１３ａと環状凹部１３ｂを設けている。そして、図１に示すように切り欠き部１２を区画する前側の壁面には、爪部１２ｃと凹状のストッパー受け部１２ｄが設けられ、切り欠き部１３を区画する後側の壁面には、爪部１３ｃと凹状のストッパー受け部１３ｄが設けられる。
【００１６】
第一蓋体２０Ａは、図１に示すように、ベース１０の上側を覆ってベース１０との間に収納空間Ｍの一部となる第一収納空間ＭＡを形成する蓋板２１Ａを備えている。本実施形態において、蓋板２１Ａの内面には、鏡Ｋが取り付けられている。また、蓋板２１Ａの後側には、切り欠き部１２に入り込む支持部２２Ａが設けられ、更に支持部２２Ａには、図２に示すように、ベース１０の穴１２ａ及び環状凹部１２ｂに対向する一対の凹部（第一凹部）２３Ａが設けられている。また、図１に示すように支持部２２Ａの先端部は、第一凹部２３Ａの円状の縁部と中心を同じくする円弧状となっていて、更にこの先端部より突出する段部（ストッパー）２４Ａが設けられている。また、蓋板２１Ａの前側には、爪部１３ｃに係合して第一蓋体２０Ａを閉鎖姿勢で維持する爪部２５Ａが設けられている。
【００１７】
また、第二蓋体２０Ｂは、図１に示すように、ベース１０の下側を覆ってベース１０との間に収納空間Ｍの残部となる第二収納空間ＭＢを形成する蓋板２１Ｂを備えている。蓋板２１Ｂの内面にも、鏡Ｋが取り付けられている。また、蓋板２１Ｂの前側には、切り欠き部１３に入り込む支持部２２Ｂが設けられ、更に支持部２２Ｂには、図２に示すように、ベース１０の穴１３ａ及び環状凹部１３ｂに対向する一対の凹部（第二凹部）２３Ｂが設けられている。更に、図１に示すように支持部２２Ｂの先端部には、ストッパー２４Ａと同様の形状となるストッパー２４Ｂを設けている。また、蓋板２１Ａの後側には、爪部１２ｃに係合して第二蓋体２０Ｂを閉鎖姿勢で維持する爪部２５Ｂが設けられている。
【００１８】
第一枢支軸３０Ａは、本実施形態では、図２に示すように、ベース１０の切り欠き部１２を挟んで両外側に設けられている。またその構成は、穴１２ａ内に配置される弾性部材（第一弾性部材）３１Ａ（本実施形態で第一弾性部材３１Ａは、エラストマーやゴム等で形成される）と、第一弾性部材３１Ａの先端に設けられる枢支ピン（第一枢支ピン）３２Ａとを備えるものである。第一枢支ピン３２Ａは、球状となる先端部３３と、先端部３３と一体連結するとともに、その内側に第一弾性部材３１Ａの先端を収める円筒部３４とで形成されている。また、第一枢支ピン３２Ａは、ベース１０の環状凹部１２ｂに保持される抜け止め部材４０にて抜け止めされる。ここで抜け止め部材４０は、円筒部３４の外径よりも若干大きい内径となる筒状部４１と、筒状部４１の一端に設けられてその中央に開口を有するリング部４２とからなり、環状凹部１２ｂに保持されることで、筒状部４１の内側には、第一枢支ピン３２Ａが進退移動可能に保持される案内溝（第一案内溝）４３Ａが形成される。なお、第一枢支ピン３２Ａは、第一弾性部材３１Ａの付勢力にて、その先端部３３がリング部４２から露出している。
【００１９】
また、第二枢支軸３０Ｂは、図２に示すように、ベース１０の切り欠き部１３を挟んで両外側に設けられている。またその構成は、穴１３ａ内に配置される第二弾性部材３１Ｂ（本実施形態では、コイルスプリング）と、第二弾性部材３１Ｂの先端に設けられる第二枢支ピン３２Ｂ（第一枢支ピン３２Ａと同一形状をなし、球状となる先端部３３と、円筒部３４とで構成されている）とを備えるものである。また、ベース１０の環状凹部１２ｂには、前述の抜け止め部材４０が設けられていて、第二枢支ピン３２Ｂは、筒状部４１の内側に形成される第二案内溝４３Ｂに進退移動可能に保持されるとともに、その先端部３３がリング部４２から露出している。なお、本実施形態において、第一枢支軸３０Ａと第二枢支軸３０Ｂは、図１に示すように同一高さとなる部位に設けられている。
【００２０】
上記のような構成となるコンパクト容器を使用するに当たっては、図６に示すように、使用したい化粧料等を収めた収納空間Ｍ（ここでは第一収納空間ＭＡ）を上側にし、切り欠き部１３から第一蓋体２０Ａを上方に引き上げれば、ベース１０の爪部１３ｃと第一蓋体２０Ａの爪部２５Ａとの係合が外れて、第一蓋体２０Ａを開くことができる。そして、第一蓋体２０Ａの引き上げを継続すると、第一蓋体２０Ａのストッパー２４Ａがベース１０のストッパー受け部１２ｄに引っ掛かるので、その後、第一蓋体２０Ａから手を離しても、第一蓋体２０Ａは所定の角度で保持される。一方、第二収納空間ＭＢ側の化粧料等を使用したい場合には、第二収納空間ＭＢを上側にし、切り欠き部１２から第二蓋体２０Ｂを上方に引き上げればよい。
【００２１】
第一蓋体２０Ａを交換するに当たっては、第一蓋体２０Ａを開いた状態で、ベース１０からやや強めに引っ張れば、第一枢支ピン３２Ａが後退して第一蓋体２０Ａを取り外すことができる。また、別の蓋体を取り付けるに当たっては、蓋体の支持部を切り欠き部１２に沿わせて押し込むと、第一枢支ピン３２Ａの先端部３３は球状となっているので蓋体の支持部に押されて後退する一方、支持部の凹部に先端部３３が適合すると、第一枢支ピン３２Ａは第一弾性部材３１Ａの付勢力にて前進するので、蓋体は揺動可能に保持される。なお、第二蓋体２０Ｂも、同様にして交換作業を行うことができる。
【００２２】
また、第一蓋体２０Ａの交換は、例えば第一枢支ピン３２Ａの円筒部３４に、径方向外側に突出する突起を設け、抜け止め部材４０の筒状部４１に、この突起をコンパクト容器の外方に突出させるとともに、その軸線に沿って延在するスリットを設けてもよい。この場合は、突起を指で押圧することで第一枢支ピン３２Ａを後退させることも可能である。
【００２３】
本発明に従うコンパクト容器は、第一蓋体２０Ａ又は第二蓋体２０Ｂの何れか一方を設けたものであってもよいが、本実施形態のように、第一蓋体２０Ａ及び第二蓋体２０Ｂを設ければ、内容物等を収める収納空間Ｍが２つ形成されることになるので、例えば第一収納空間ＭＡ側には、凹所１１ａにファンデーションを収納するとともにこれを塗布するパフを凹所１１ｂに収納し、第二収納空間ＭＢ側には、凹所１１ｃに複数色のアイシャドウを収納するとともにこれらを塗布するブラシを収納することで、化粧料等が用途に応じて個別に収納できるため、使い勝手が良くなる。
【００２４】
なお、本実施形態では、第一弾性部材３１Ａをエラストマーやゴム等とし、第二弾性部材３１Ｂをコイルスプリングとしたが、何れか一方の種類で構成してもよい。
【００２５】
また、本実施形態では、ベースに枢支ピン及び弾性部材を設けるとともに、蓋体に枢支ピンに対応する凹部を設けたが、蓋体に枢支ピン及び弾性部材を設けるとともに、ベースに枢支ピンに対応する凹部を設けてもよい。
【産業上の利用可能性】
【００２６】
本発明によれば、蓋体を簡単に交換することができるので、使用者の好みに合うとともにデザイン性に富んだ、新たなコンパクト容器を提供できる。
【符号の説明】
【００２７】
１  コンパクト容器
１０  ベース
１１  基部
１１ａ  凹所
１１ｂ  凹所
１１ｃ  凹所
１２  切り欠き部
１２ａ  穴
１２ｂ  環状凹部
１２ｃ  爪部
１２ｄ  ストッパー受け部
１３  切り欠き部
１３ａ  穴
１３ｂ  環状凹部
１３ｃ  爪部
１３ｄ  ストッパー受け部
２０  蓋体
２０Ａ  第一蓋体
２０Ｂ  第二蓋体
２１Ａ  蓋板
２１Ｂ  蓋板
２２Ａ  支持部
２２Ｂ  支持部
２３Ａ  第一凹部（凹部）
２３Ｂ  第二凹部（凹部）
２４Ａ  ストッパー
２４Ｂ  ストッパー
２５Ａ  爪部
２５Ｂ  爪部
３０  枢支軸
３０Ａ  第一枢支軸
３０Ｂ  第二枢支軸
３１Ａ  第一弾性部材（弾性部材）
３１Ｂ  第二弾性部材（弾性部材）
３２Ａ  第一枢支ピン（枢支ピン）
３２Ｂ  第二枢支ピン（枢支ピン）
３３  先端部
３４  円筒部
４０  抜け止め部材
４１  筒状部
４２  リング部
４３Ａ  第一案内溝（案内溝）
４３Ｂ  第二案内溝（案内溝）
Ｋ  鏡
Ｍ  収納空間
ＭＡ  第一収納空間
ＭＢ  第二収納空間
【図１】
2014233327.tif 000003
【図２】
2014233327.tif 000004
【図３】
2014233327.tif 000005
【図４】
2014233327.tif 000006
【図５】
2014233327.tif 000007
【図６】
2014233327.tif 000008